(57)【要約】【課題】旅行先等の自宅以外の場所でも携帯用御本尊を粗末に扱うことなく、荘重な気持ちで、携帯用御本尊を拝して勤行祈念することができる携帯用御本尊を安置する厨子を提供する。【解決手段】基壇１１の両側端縁および背面側端縁に壁板１６を一体に立設固定すると共に、前記壁板１６の内側面側に、該壁板１６から間隔を有して三面鏡状の飾り板１７が立設固定され、且つ該飾り板１７の平行面部２２に長方形枠状孔２３を設けると共に、前記壁板１６と飾り板１７間に装入空間部１８と補助空間部１９を形成する一方、前記壁板１６の両先端縁部に、２枚の扉２５・２６を観音開きできるように連結すると共に、前記壁板１６に天蓋２８を開閉自在なるよう連結固定して厨子本体Ｂが形成される。そして、前記装入空間部１８に携帯用御本尊１を収納した収納ケースＡの蓋体３を開いて装入する。【選択図】図５
2005137751.tif 000002
【特許請求の範囲】
【請求項１】
長方形状の基壇の両側端縁および背面側端縁に、前方側に開口部を有して、両側面板および背面板より成る壁板を一体に立設固定すると共に、前記壁板の内側面側に、該壁板から間隔を有して飾り板が立設固定され、
前記飾り板は、前記両側面板の両先端縁から背面板方向にそれぞれ傾斜した傾斜面部と、中央部分において、前記背面板と平行な平行面部とを連設して三面鏡状に形成され、
更に、前記飾り板の平行面部に長方形枠状孔を設けると共に、右側の傾斜面部の後端縁部と背面板間に区画板を連結固定して、前記壁板と飾り板間に装入空間部と補助空間部を形成する一方、前記両側面板の両先端縁部に、２枚の扉を観音開きできるように連結すると共に、前記背面板に天蓋を開閉自在なるよう連結固定して厨子本体が形成され、
前記装入空間部に携帯用御本尊を収納した収納ケースの蓋体を開いて装入できるようにしたことを特徴とする携帯用御本尊を安置する厨子。
【発明の詳細な説明】
【技術分野】
【０００１】
本発明は、旅行先等、自宅以外の場所でもご本尊を安置して、勤行、あるいは礼拝ができるようにした携帯用御本尊を安置する厨子に関するものである。
【背景技術】
【０００２】
従来、印刷された経文や仏像等の御本尊を小型の箱型携帯ケースに入れて旅行先等、自宅以外の場所において、常に携帯して、お守りとすると共に、箱型ケースごと棚等の適位置に載置して、御本尊を拝しながら勤行したり、あるいは、携帯ケースに御本尊を入れたまま御本尊を拝することなく、沈思黙祷のように祈念していた。
【特許文献１】登録実用新案第３０１５９３４号公報
【０００３】
前記旅行先等、自宅以外の場所においても、御本尊を拝しながら勤行するためのものとして、前記特許文献１に示す「携帯用本尊」が開示されている。
【０００４】
しかしながら、前記特許文献１に記載のものは、中央面と左右面からなる本尊本体を、それぞれの面の境界線となる折れ線を介して折り畳み可能として本尊本体とすると共に、前記本尊本体を台座上に立設して勤行できるようになっているが、心を込めて御本尊を拝するには余りにも荘重さに欠けるという問題があった。
【発明の開示】
【発明が解決しようとする課題】
【０００５】
本発明が解決しようとする課題は、手軽にバッグ等に入れて携帯することができる厨子であって、携帯用御本尊が観音開きできる厨子の正面に位置するようにして、荘重な勤行祈念の場を創出することができるようにする点である。
【課題を解決するための手段】
【０００６】
本発明は、観音開きができる携帯可能な小さな箱型に形成すると共に、内陣内部を構成する飾り板を三面鏡状に形成し、該飾り板背面の装入空間部の上部より、携帯用御本尊を収納した携帯ケースを開いた状態で装入することにより、正面に携帯用御本尊を安置して拝することができるようにすることを最も主要な特徴とする。
【発明の効果】
【０００７】
携帯用御本尊を収納した携帯ケースを開いて厨子本体の装入空間部に装入すると、携帯用御本尊が正面に安置されるので、旅行先等の自宅以外の場所でも携帯用御本尊を粗末に扱うことなく、荘重な気持ちで、携帯用御本尊を拝して勤行祈念することができる。
【実施例】
【０００８】
本発明の実施例を図面に基づいて詳細に説明すると、携帯用御本尊１を収納する携帯ケースＡは、長方形状の基板２と蓋体３の長手方向各内側端縁部に蝶番等の開閉具４を取付けて、前記蓋体３を開閉具４により開閉自在とすると共に、前記基板２の内側面に枠状の窪み部５を設けて、該窪み部５に経文や仏像を印刷した携帯用御本尊１を収納して形成されている。なお、図中、６は携帯用御本尊１を保護する透明カバー、７は蓋体３を基板２に固定するストッパーである。そして、携帯ケースＡの大きさは、蓋体３を閉じた状態で、巾２ｃｍ、高さ５ｃｍ程度の大きさである。
【０００９】
前記携帯用御本尊１を安置する厨子本体Ｂは次のように構成されている。長方形状の基壇１１の両側端縁および背面側端縁に、前方側に開口部１２を有して、両側面板１３・１４および背面板１５より成る断面凹状の壁板１６を一体に立設固定すると共に、前記壁板１６の内側面側に、該壁板１６から間隔を有して、内陣内部を構成する飾り板１７を立設固定して、携帯用御本尊１を携帯ケースＡごと装入して安置する装入空間部１８と補助空間部１９を形成する。
【００１０】
前記飾り板１７は、前記壁板１６を構成する両側面板１３・１４の両先端縁から背面板１５方向にそれぞれ傾斜した傾斜面部２０・２１と、前記背面板１５の中央部分において、該背面板１５と平行な平行面部２２を前記傾斜面部２０・２１と連接して三面鏡状に形成され、更に前記平行面部２２に長方形枠状孔２３を設け、且つ右側の傾斜面部２０の後端縁部２０ａと背面板１５間に区画板２４を連結固定して、前記壁板１６と飾り板１７間に前記装入空間部１８と補助空間部１９を形成する。
【００１１】
更に、前記両側面板１３・１４の両先端縁部には、観音開きができるように、２枚の扉２５・２６の外方側端縁が蝶番等の開閉具２７で開閉自在となるよう連結されると共に、前記背面板１５には、上方から被覆する基壇１１と同一巾、長さに形成された天蓋２８の後端縁が、蝶番等の開閉具（図示せず）で開閉自在となるよう連結して形成されている。なお、図中、３０は、両扉２５・２６を開閉する際の取っ手である。
【００１２】
前記本発明携帯用御本尊を安置する厨子は、木製やプラスチック製でもよいが、漆塗りや、黒檀張り、または紫檀張りすることも可能である。
【００１３】
前記構成より成る本発明携帯用御本尊を安置する厨子の作用について説明する。旅行先等において、携帯用御本尊１を厨子本体Ｂに安置する場合、該厨子本体Ｂを所定の棚等の上に載置して天蓋２８を開ける。そして、携帯ケースＡのストッパー７をはずして、蓋体３を開けて基板２内に収納されている携帯用御本尊１を表に出し、然る後前記携帯ケースＡを斜めに開いた形で、厨子本体Ｂの装入空間部１８内に装入することにより、飾り板１７の正面部である平行面部２２の長方形枠状孔２３部分に携帯用御本尊１が位置するようにして安置される。なお、補助空間部１９には、前記携帯ケースＡを装入することはないが、必要に応じて使用することができ、例えば分骨を収めることができる。
【００１４】
そして、天蓋２８を閉じると共に、観音開きできる２枚の扉２５・２６を開けて、前記飾り板１７の正面部である長方形枠状孔２３内に安置されて、厨子本体Ｂの正面に位置する携帯用御本尊１を拝しながら、勤行祈念することができる。前記勤行祈念後は、天蓋２８を開いて携帯ケースＡを取り出し、蓋体３を閉めて携帯用御本尊１を携帯ケースＡ内に納めると共に、前記天蓋２８と２枚の扉２５・２６を閉じて、厨子本体Ｂをバッグ等に収納して保管する。
【図面の簡単な説明】
【００１５】
【図１】本発明携帯用御本尊を安置する厨子の天蓋と扉を閉じた状態を示す全体の斜視図である。
【図２】本発明厨子に安置する携帯用御本尊を納めた携帯ケースの斜視図である。
【図３】本発明厨子に安置する携帯用御本尊を納めた携帯ケースを開いた状態を示す正面図である。
【図４】同縦断面図である。
【図５】本発明携帯用御本尊を安置する厨子の使用状態を示す斜視図である。
【符号の説明】
【００１６】
Ａ  携帯ケース
Ｂ  厨子本体
１  携帯用御本尊
３  蓋体
１１  基壇
１２  開口部
１３・１４  側面板
１５  背面板
１６  壁板
１７  飾り板
１８  装入空間部
１９  補助空間部
２０・２１  傾斜面部
２２  平行面部
２３  長方形枠状孔
２４  区画板
２５・２６  扉
２８  天蓋
【図１】
2005137751.tif 000003
【図２】
2005137751.tif 000004
【図３】
2005137751.tif 000005
【図４】
2005137751.tif 000006
【図５】
2005137751.tif 000007